(57)【要約】      （修正有）【課題】ゴルフクラブのグリップを下にして、グリップを空間的に隔てた上位と下位の支点で支持する展示用支持装置に於いて、一つの展示装置で、ウッドクラブや、アイアンクラブを展示できるようにしたものを提案すること。【解決手段】ゴルフクラブのグリップを下にして、グリップを安定的に隔てた上位と下位の２支点で支持する展示用支持装置であって、ウッドクラブとアイアンクラブを、それぞれクラブヘッドをユーザーに見せたい方向で展示できるように構成し、具体的には上位の支点１４を少なくとも２ヶ所以上の安定点１４ａ、１４ｂ、１４ｃを持つ形状とし、一つの支点で、ウッドクラブもアイアンクラブも、そして右利き用や左利き用も展示できるようにした。【選択図】図１（ａ）
2008259797.tif 000002
【特許請求の範囲】
【請求項１】
ゴルフクラブ等の展示用支持装置に於いて、該ゴルフクラブのグリップを下にして、該グリップを安定的に隔てた上位と下位の２支点で支持する展示用支持装置であって、該ゴルフクラブとしてウッドクラブとアイアンクラブをそれぞれ傾斜方向を使い分けて展示できるように構成したことを特徴とするゴルフクラブ等の展示用支持装置
【請求項２】
ゴルフクラブ等の展示用支持装置に於いて、該ゴルフクラブのグリップを下にして、該グリップを安定的に隔てた上位と下位の２支点で支持する展示用支持装置であって、該上位の支点を少なくとも２ヶ所以上の安定点をもつ形状としたことを特徴とするゴルフクラブ等の展示用支持装置
【請求項３】
前記上位の支点は、３ヶ所の安定点を持ち、それぞれ前記ゴルフクラブとして、ウッドクラブ、アイアンクラブ（右利）、アイアンクラブ（左利）それぞれが安定点に展示できるようにした請求項２に示したゴルフクラブ等の展示用支持装置
【発明の詳細な説明】
【技術分野】
【０００１】  本発明は、ゴルフクラブ等の展示用支持装置に関する
【背景技術】
【０００２】  ゴルフクラブ等の展示用支持装置は、そこに展示するゴルフクラブが、来店するユーザーから見て、きちっとセールスポイントを正面に向けて並んでいることが、装置としての望ましい要件である。本出願人は、そこでこれまで、ゴルフクラブのヘッドを懸架するタイプに於いて、いくつかの特許を出願してきた。【０００３】  本願では、これに対してゴルフクラブのグリップを下にして置き、該グリップを安定的に隔てた上位と下位の２支点で支持するゴルフクラブ等の展示用支持装置に関する。本出願人は、これについても先に、この下位の支点に当たるグリップエンドを支える構造に工夫を加え、グリップエンドの先端を一点で支持するのではなく、任意の角度に支持する構造を出願し、一度展示用支持装置に展示したゴルフクラブが安定的に展示できるものを提案している。【０００４】  前者をクラブヘッド懸架方式とし、後者をグリップ支持方式とすると、ゴルフショップによっては、これらを展示目的によって使い分け、店舗イメージを高めたり、ユーザーが購入しやすい店舗環境を作ってきた。【０００５】  例えば、懸架方式は、ユーザーが手に取って素振り等した後、元に戻しやすくし、店員の手間隙がかからないようにしているため、頻繁に取り外しするようなゴルフクラブの展示用として使い、グリップ支持方式は、新商品の展示コーナー用の展示などとして使い、ユーザーも手に取ることもできるようにしてはいるが、むしろ展示を主とした使い方をする等の使い分けである。【０００６】
【特許文献】  特開平１１−３３２７０５  特開２００３−３１０４０２  特開２００４−１３６０６９  特開２００５−１５７２３６  特開２００６−２２３８６７
【発明の開示】
【発明が解決しようとする課題】
【０００７】  図２は、これまでのグリップ支持方式の展示用支持装置の一実施例である。（２）は展示用支持装置で、（２ａ）は上位の支持部、（２ｂ）は下位の支持部である。図３は、この展示用支持装置の拡大図である。（４）は上位の支持部（２ａ）に作った支点であり、（６）はその穴の形状を仮想的に描いたものであり、（８）はグリップエンドを支持する下位の支点である。ゴルフクラブ（１０）をこの展示用支持装置（２）に展示したとき、支持部（２ａ）の支点（４）と支持部（２ｂ）の支点（８）とは水平方向で位置をずらしているため、展示したゴルフクラブ（１０）は、ユーザー側にヘッド部が傾斜して展示される。支点（４）は、仮想図の穴（６）で見るように、安定点（４ａ）を持ち、（仮想図では（６ａ））ここにグリップが丁度収まる形状にしているため、展示されたゴルフクラブ（１０）は、安定的に表示される。【０００８】  ところで、このようにゴルフクラブのヘッド部を上にし、グリップ部を下に展示するグリップ支持方式をとるとき、図２、図３で示したユーザー側にヘッド部が傾斜するものについては、ウッドクラブが適していて、ウッドクラブに刻印されているメーカー名などがはっきり分かる展示となる。【０００９】  アイアンクラブ（右利き用）の場合は、この支点（４）の安定点（４ａ）の位置を変えて図面上上部に突起している形状にすると、アイアンクラブヘッドは、ユーザーから見て左手に傾斜し、ヘッド部が見やすい展示位置となる。【００１０】  従って、これまでは、このグリップ支持方式の展示装置使おうとすると、ウッドクラブ用、アイアンクラブ用それぞれの展示用支持装置を準備する必要があった。アイアンクラブを左利き用のものも展示するとなると、３種類用意する必要があった。在庫管理だけでなく、展示物によって展示装置を変えたりしなければならず、また、両方同時に展示するとなると展示スペースの上でも制約を受けることになった。【００１１】  そこで、本願の目的は、グリップ方式の展示装置に於いて、一つの展示装置で、ウッドクラブや、アイアンクラブを展示できるようにしたものを提案することにある。
【発明を解決するための手段】
【００１２】  そこで、本願では、ゴルフクラブの展示用支持装置に於いて、該ゴルフクラブのグリップを下にして、該グリップを安定的に隔てた上位と下位の２支点で支持する展示用支持装置であって、ウッドクラブとアイアンクラブを、それぞれクラブヘッドをユーザーに見せたい方向で展示できるように構成し、具体的には該上位の支点を少なくとも２ヶ所以上の安定点を持つ形状とし、これらのことが可能になるようにした。
【発明の効果】
【００１３】  ゴルフクラブ等の展示用支持装置に於いて、該ゴルフクラブのグリップを下にして該グリップを安定的に隔てた上位と下位の２支点で支持するグリップ支持方式の展示装置で、本発明を使用すれば、一つの展示用支持装置で、ウッドクラブもアイアンクラブも展示することができ、新商品の展示装置として、その商品の種類が異なるごとに展示装置を取り替えたり、移動することがなく大変便利である。
【００１４】  本発明のものを利用すれば、同様に一つの展示装置を使ってアイアンクラブの右利き用、左利き用それぞれに対応させて、ユーザーから見て、見やすく商品を展示することが可能となる。しかも、種類についても、一つの種類だけにしたり、ウッドとアイアン（右利）の２種類にしたり、ウッドとアイアン（右利）アイアン、（左利）の３種類にすることも可能である。
【００１５】  従って、店舗側から言うと、いくつもの展示用支持装置をもつことなく、一つの展示用支持装置を備えれば、このように多種多様の商品展示ができることになり、コストの点でも、商品展示の変化をもたせることができるという点でも効果がある。
【発明の最良の実施例】
【００１６】  図１は、本発明によるゴルフクラブ等の展示用支持装置の一実施例であり、図１（ａ）は上面図、図１（ｂ）はゴルフクラブを展示した時の断面図である。図４は、図１（ｂ）の拡大図である。（１２）は、展示用支持装置で、（１２ａ）は上位の支持部、（１２ｂ）は下位の支持部、（１４）は上位の支点、（１６）は下位の支点である。図５は、上位の支点（１４）の拡大図である。
【００１７】  この展示用支持装置（１２）は、上位の支持部（１２ａ）に支点（１４）を持ち、下位の支持部（１２ｂ）に支点（１６）を持っている。支点（１６）の形状は、これまでと変わっていない。しかし、支点（１４）は、図５の拡大図で見るように大きく異なっている。ここでは展示するゴルフクラブ（１８）のグリップ経より少し大きめの半径の突起を持つ形状の穴としている。この突起（１４ａ、１４ｂ、１４ｃ）にグリップが収まると、ゴルフクラブは安定的に表示するようにしている。このためこれを安定点と呼ぶ。
【００１８】  ゴルフクラブ（１８）をこの展示用支持装置（１２）に展示すると、グリップ（２０）、グリップエンド（２０ａ）は支点（１６）で支持され、グリップ（２０）は、支点（１４）の安定点（１４ａ、１４ｂ、１４ｃ）のいずれかの安定点で支持される。図１の場合、支点（１４）の安定点（１４ａ）で支持されている。
【００１９】  図１の図面上で、図面上左側は、ユーザーがいる方向である。ゴルフクラブ（１８）のグリップエンド（２０ａ）を支点（１６）に置いた上で、グリップ（２０）を支点（１４）の安定点（１４ａ）の方に傾けて置くと、ユーザー側にクラブヘッド（２２）がよく見えるように展示することができる。ゴルフクラブとして、ウッドクラブを使用する時には、この突起（１４ａ）を使うとよい。
【００２０】  同様にして、アイアンクラブ（右利き用）を展示するときには、同様にそのグリップエンドを支点（１６）に置いた上で、グリップを支点（１４）の安定点（１４ｂ）の方に傾けて置くと、クラブヘッドがユーザーに見やすく展示される。
【００２１】  さらに、アイアンクラブ（左利き用）を展示するときには、同様にグリップエンドを支点（１６）に置いた上で、グリップを支点（１４）の安定点（１４ｃ）の方に傾けて置くと、クラブヘッドがユーザーに見やすく展示される。
【００２２】  以上のように本願では、グリップ支持方式の展示用支持装置に於いて、グリップを支持する上位の支点に工夫を加え、複数の安定点を作製しゴルフクラブの種類によって、利用安定点を変え、一つの展示用支持装置によって、幾種類ものゴルフクラブを見えやすく、その様子が分かりやすいように展示するようにした。もちろん本願展示装置展示したゴルフクラブをユーザが取り外して手に取って、素振りをするなど、その品質性能を確かめた上で、元に戻すということがあるが、その場合も他に展示されているものと比較しながら元に戻せば、ゴルフクラブのヘッドの重さと、グリップを支える安定点との関係で、ほぼ同一の方向にそろって展示することができる。
【００２３】  図６は、本願発明による展示用支持装置の他の実施例で、三角図法で描いたものである。（２４）は上位の支持部、（２６）は下位の支持部、（２８）は上位の３つの安定点を持つ支点で、上位の支持部（２４）には縦に１０個、横に７個並べて構成している。（３０）は下位の支点で同様の数を構成している。実際の作製に当たっては、下位の支持部や上下をつなぐ部材には、スチールを使用し、上位の支持部はポリカーボネートで作っている。
【００２４】  ここでは、上位の支点は、上位の支持部に密度高く並べられているが、アイアンクラブを並べるときには、縦に並んだ１０個をすべて使い、ウッドクラブを使ったときには、一つで場所をとめるため、縦に一つおき、もしくは二つおきに並べていくようにしている。機能としては、図１で説明したものと変わりない。
【００２５】  図７は、本願発明により展示用支持装置で、図６の上位の支持部（２４）の上位の支点の並べかたが、縦、横真直ぐだったものを、斜めに少し傾斜をもって並べたものである。
【００２６】  図８も、本発明による展示装置の他の実施例で、図８（ａ）及び図８（ｂ）は、それぞれ展示装置にゴルフクラブを展示した時の正面図と側面図である。（３２）は展示台、（３４）は、本願発明による展示用支持装置（３６）は従来の展示用支持装置、図８（ｃ）は、ゴルフクラブを置かない時の展示用支持装置の上面図である。（３８）は、展示用支持装置（３４）の上位の支持部で、（４０）は本願発明の要点をなす三つの安定点を持つ支点で、ここでは前例３個、後例４個用意されている。
【００２７】  ここでは、展示用支持装置（３４）には、図８（Ｃ）で見る上位の支持部（３８）の後列に並んだ４つの支店のうち右側の支点（４０）にウッドクラブ（４２）が展示され、同様に後列の他の３つの支点にもウッドクラブがそれぞれ３本展示されている。図８（ａ）では、この展示用支持装置（３４）には、合計４本だが、あと３本展示することができる。
【００２８】  ここでは、従来の展示用支持装置（３６）とも組み合わせて、展示台（３２）を作っていて、こちらの展示用支持装置（３６）には、アイアンクラブ（４４）、（４６）が２本展示されている。
【００２９】  以上、本願発明を具体的な実施例によって説明してきたが、本願はこれら具体的な実施例に限定されず、特許請求の範囲で請求する範囲をカバーすることは言うまでもない。例えば、図５は支点（１４）が３方向に安定点（１４ａ、１４ｂ、１４ｃ）を持っているが、これを安定点（１４ａ）の反対側に、もう一つ安定点をつくり、４方向の安定点を持つんものにし、左利き用のウッドフックを展示することもできる。その場合は、下位の支点の位置や形状を工夫することもある。
【産業上の利用可能性】
【００３０】  ゴルフクラブの種類は、ウッドクラブ、アイアンクラブに限られず、パタークラブ他もあるが、従来これらを展示するためにはユーザーが手に取って素振り等を行い、元の展示装置に戻す等を考えたとき、そのたびごとに店員の手を煩わせずに、元の「正しい位置」に展示できるように考えると、それぞれの専用展示装置が必要となった。もちろん商品の展示のために一定のスペースが必要であることは言うまでもないが、新商品の紹介などの場合、店舗の中で一番目立つところに色々な種類のものを、一度に展示できるのが一番ベターである。その意味で、本願発明は、特にそうした用途を考えたとき、産業上の利用可能性は高い。【００３１】  また、新商品の紹介という点だけでなく、普及品などの展示用支持装置としても、一つの展示用支持装置を備えておけば、どのような種類のゴルフクラブの展示に対しても備えることができ、店舗在庫管理などの点で大きな効果が期待され、この面でも産業上の利用性が高い。
【図面の簡単な説明】
【００３２】
【図１】本発明による展示用支持装置の一実施例であり、図１（ａ）は上面図、図１（ｂ）は断面図である。
【図２】従来の展示用支持装置の一実施例であり、図２（ａ）はその上面図、図２（ｂ）は断面図である。
【図３】図２（ｂ）に示した展示用支持装置の拡大図
【図４】図１（ｂ）に示した展示用支持装置の拡大図
【図５】図１（ａ）に示した展示用支持装置の支点の拡大図
【図６】本願発明による展示用支持装置の他の実施例の三角図法による実施例図
【図７】上位の支持部の形状を、図６とは変えた本願発明による展示用支持装置の実施例で、その上位の支持部の上面図
【図８】本願発明による展示用支持装置の他の実施例図で、展示台上に従来のものと一緒に並べた実施例で、図８（ａ）は、その正面図、図８（ｂ）は側面図、図８（ｃ）は上面図。
【符号の説明】
【００３３】  １２・・・・・・展示用支持装置
１２ａ・・・・・上位の支持部
１２ｂ・・・・・下位の支持部
１４・・・・・・支点
１４ａ、１４ｂ、１４ｃ・・・安定点
【図１（ａ）】
2008259797.tif 000003
【図１（ｂ）】
2008259797.tif 000004
【図２】
2008259797.tif 000005
【図３】
2008259797.tif 000006
【図４】
2008259797.tif 000007
【図５】
2008259797.tif 000008
【図６】
2008259797.tif 000009
【図７】
2008259797.tif 000010
【図８（ａ）】
2008259797.tif 000011
【図８（ｃ）】
2008259797.tif 000012
【図８（ｂ）】
2008259797.tif 000013